(57)【要約】【課題】画像などを表示中に、併せて文字情報をテロップ表示させる場合に、ユーザが文字情報の内容を把握しやすい無線通信端末装置を提供する。【解決手段】制御部１９０は、ＴＶチューナ部１８０で受信した放送を表示部１３０に表示し、この放送の映像に合わせて、受信した電子メールなどの文字情報をテロップ表示するものである。上記映像の表示方向が縦方向の場合には、横方向の場合に比べて、文字情報の表示領域の幅よりも狭い。すなわち、縦方向の場合には、横方向の場合に比べて、表示可能な文字数が少ない。このため、制御部１９０は、表示方向が縦方向の場合には、横方向の場合に比べて、相対的に表示される文字の移動速度を遅くするようにしたものである。【選択図】      図１
2007288355.tif 000002
【特許請求の範囲】
【請求項１】
移動通信網に接続される基地局装置と無線通信する移動無線端末装置において、
映像や文字情報を表示可能な表示手段と、
この表示手段を制御して映像を表示させる第１表示制御手段と、
この第１表示制御手段による映像表示の表示領域の大きさを可変する可変手段と、
前記表示手段を制御して、前記第１表示制御手段による映像表示に合わせて、この映像表示の表示領域の大きさに応じた速度で移動する文字情報を前記表示手段に表示させる第２表示制御手段とを具備することを特徴とする移動無線端末装置。
【請求項２】
移動通信網に接続される基地局装置と無線通信する移動無線端末装置において、
映像や文字情報を表示可能な表示手段と、
この表示手段を制御して映像を表示させる第１表示制御手段と、
前記表示手段を制御して、前記第１表示制御手段による映像表示に合わせて文字情報を繰り返し表示するものであって、その繰り返した回数に応じて、表示する文字情報の移動速度を可変して表示させる第２表示制御手段とを具備することを特徴とする移動無線端末装置。
【請求項３】
移動通信網に接続される基地局装置と無線通信する移動無線端末装置において、
ユーザの要求を受け付ける受付手段と、
映像や文字情報を表示可能な表示手段と、
この表示手段を制御して映像を表示させる第１表示制御手段と、
前記受付手段が要求を受け付けた場合に、前記表示手段を制御して、前記第１表示制御手段による映像表示に合わせて文字情報を繰り返し表示するものであって、その繰り返した回数に応じて、表示する文字情報の移動速度を可変して表示させる第２表示制御手段とを具備することを特徴とする移動無線端末装置。
【請求項４】
さらに、放送を受信する放送受信手段と、
電子メールを受信する電子メール受信手段とを備え、
前記第１表示制御手段は、前記表示手段を制御して、前記放送受信手段が受信した信号に基づく映像を表示させ、
前記第２表示制御手段は、前記電子メール受信手段が電子メールを受信した場合に、前記文字情報として前記電子メールの内容を前記表示手段に表示させることを特徴とする請求項１乃至請求項３のいずれかに記載の移動無線端末装置。
【請求項５】
移動通信網に接続される基地局装置と無線通信する移動無線端末装置において、
電子メールを受信する電子メール受信手段と、
電子メールアドレスと、シークレット設定を示す設定情報とを対応付けたアドレスデータを記憶する記憶手段と、
映像や文字情報を表示可能な表示手段と、
この表示手段を制御して映像を表示させる第１表示制御手段と、
前記電子メール受信手段が電子メールを受信した場合に、前記電子メールの送信元のアドレスに対応付けられた前記設定情報に応じた速度で前記電子メールの内容が移動する表示を、前記第１表示制御手段による映像表示に合わせて行わせる第２表示制御手段とを具備することを特徴とする移動無線端末装置。
【発明の詳細な説明】
【技術分野】
【０００１】
この発明は、例えば携帯電話機などの無線通信端末装置に関する。
【背景技術】
【０００２】
周知のように、近時、携帯電話機やＰＨＳ（Personal Handyphone System）端末は、音声通話以外に、電子メールの送受信やｗｅｂの閲覧、動画像や静止画像の表示、音楽の再生、テレビジョン放送の受信などが行えるマルチメディア端末として機能するものがある。
【０００３】
このように複数の機能が搭載されるようになると、複数の機能が同時に実施されることがある。例えば、テレビジョン放送を視聴中に、電子メールを受信した場合などが考えられる。この場合、電子メールを確認するために、いったんテレビジョン放送の受信を停止させ、電子メールを確認後、再びテレビジョン放送を受信するといった操作が必要であり、ユーザにとって非常に煩わしいものとなっている。
【０００４】
このため近時、テレビジョン放送を視聴中に、電子メールを受信した場合、テレビジョン放送の画像と、電子メールの内容を併せて表示するようにしている（例えば、特許文献１参照）。また電子メールの内容をテロップ表示させ、自動的にスクロールするようにしている（例えば、特許文献２参照）。  
しかしながら、従来のテロップ表示では、そのスクロール速度を必ずしも適切な速度とするものではなく、ユーザが電子メールの内容を把握しにくいという問題があった。なお、この問題は、テレビジョン放送の画像表示や、電子メールに限らず、予め記憶した動画像や静止画像を表示する場合や、ｗｅｂの閲覧中に、併せて文字情報を表示する場合に、同様に起こる問題であった。
【特許文献１】特開２００５−１５１３３８公報。
【特許文献２】特開平１０−２６９１５４公報。
【発明の開示】
【発明が解決しようとする課題】
【０００５】
従来では、画像などを表示中に、併せて文字情報をテロップ表示させるようにしていたが、ユーザが文字情報の内容を把握しにくいという問題があった。  
この発明は上記の問題を解決すべくなされたもので、画像などを表示中に、併せて文字情報をテロップ表示させる場合に、ユーザが文字情報の内容を把握しやすい無線通信端末装置を提供することを目的とする。
【課題を解決するための手段】
【０００６】
上記の目的を達成するために、この発明は、移動通信網に接続される基地局装置と無線通信する移動無線端末装置において、映像や文字情報を表示可能な表示手段と、この表示手段を制御して映像を表示させる第１表示制御手段と、この第１表示制御手段による映像表示の表示領域の大きさを可変する可変手段と、表示手段を制御して、第１表示制御手段による映像表示に合わせて、この映像表示の表示領域の大きさに応じた速度で移動する文字情報を表示手段に表示させる第２表示制御手段と具備して構成するようにした。
【発明の効果】
【０００７】
以上述べたように、この発明では、映像表示に合わせて文字情報を表示する際に、映像表示の表示領域の大きさに応じた速度で、上記文字情報を移動させて表示するようにしている。
【０００８】
したがって、この発明によれば、画像などを表示中に、併せて表示される文字情報が画像の表示領域の広さに応じて可変されるので、ユーザが文字情報の内容を把握しやすい無線通信端末装置を提供できる。
【発明を実施するための最良の形態】
【０００９】
以下、図面を参照して、この発明の一実施形態について説明する。図１は、この発明の一実施形態に係わる無線通信端末装置の構成を示すものである。以下の説明では、移動無線端末装置の一例として、移動通信網に収容される基地局ＢＳと無線接続して通信する携帯電話機を例に挙げて説明する。
【００１０】
この携帯電話機は、アンテナ１０１と、通信部１１０と、音声処理部１２０と、表示部１３０と、操作部１４０と、報知部１５０と、記憶部１６０と、カメラ部１７０と、ＴＶチューナ部１８０と、制御部１９０とを備える。
【００１１】
アンテナ１０１は、基地局ＢＳから送信される無線信号の受信や、当該携帯電話機から基地局ＢＳに宛てた無線信号の送信を行うものである。  
通信部１１０は、アンテナ１０１を通じて基地局ＢＳと無線通信するものである。具体的には、通信部１１０は、アンテナ１０１が受信した無線信号をダウンコンバートして復調し、通信相手局から送信された符号化音声データや、電子メールデータを得る。また通信部１１０は、制御部１９０を通じて音声処理部１２０から与えられる符号化音声データや電子メールデータを用いてベースバンド信号を変調し、これをアップコンバートして無線信号を生成し、アンテナ１０１を通じて基地局ＢＳに送信する。
【００１２】
音声処理部１２０は、通信部１１０にて復調された符号化音声データを復号して音声信号を再生し、内蔵するスピーカ１２１から拡声出力する。これにより、通話相手局からの送話音声がユーザに伝達される。また音声処理部１２０は、内蔵するマイクロホン１２２から入力された音声信号を符号化して符号化音声データを生成し、これを制御部１９０を通じて通信部１１０に与える。
【００１３】
表示部１３０は、ＬＣＤ（Liquid Crystal Display）などを用いた表示装置であって、制御部１９０の制御により、テキストや画像など種々の視覚的な情報をユーザに映像表示するものである。  
操作部１４０は、複数のキースイッチなどを備え、ユーザの要求を受け付けるものである。報知部１５０は、着信の発生を音によりユーザに報知するものである。
【００１４】
記憶部１６０は、制御部１９０の制御プログラムや制御データ、電話番号、名称および顔写真などの画像データを対応づけたアドレス帳データを記憶するとともに、静止画像や動画像などの画像データ、送受信した電子メールデータや、メール表示機能に関わるパラメータなどが記憶される。
【００１５】
カメラ部１７０は、ＣＣＤ（Charge-Coupled Device）やＣＭＯＳ（Complementary Metal Oxide Semiconductor）などの撮像素子を用いたディジタルカメラであって、制御部１９０の指示にしたがって、静止画像や動画像を撮影し、この撮影によって得た画像データを制御部１９０に出力する。
【００１６】
ＴＶチューナ部１８０は、テレビジョン放送を受信する受信回路であって、制御部１９０からの指示したがったチャンネルの放送信号を受信し、この放送信号の受信によって得た映像信号と音声信号を制御部１９０に出力する。
【００１７】
制御部１９０は、当該携帯電話機の各部を統括して制御するものである。例えば、制御部１９０は、携帯電話機として音声通信やテレビ電話通信を行うための制御機能として、着信信号を受信するための着信制御機能、ユーザから発信要求が受け付けた場合に発信を行うための発信制御機能、そしてこれら発着信制御時に通話相手と通信リンクを確立して音声データの送受信および音声の入出力を行う通話制御機能を備える。
【００１８】
また制御部１９０は、ＴＶチューナ部１８０にて得た映像信号に基づく映像を表示部１３０に表示するとともに、同様にして得た音声信号を音声処理部１２０を通じてスピーカ１２１より拡声出力するテレビジョン放送受信制御機能を備える。
【００１９】
またこの制御機能において制御部１９０は、記憶部１６０に設定される表示方向パラメータにしたがって、表示部１３０の長方形の表示領域ＤＡの短辺を横方向にして映像を表示する縦方向表示を行ったり（図２Ａ参照）、図２Ｂに示すように同領域ＤＡの長辺を横方向にして映像を表示する横方向表示を行う（図２Ｂ参照）。
【００２０】
なお、上記表示方向パラメータは、操作部１４０を通じたユーザの指示により変更が可能であり、ユーザが任意に表示方向を切り替えることができる。また当該移動無線端末装置の筐体が、折りたたみ式などのように変形可能な筐体の場合には、筐体の状態を制御部１９０が検出して、その状態に応じて表示方向パラメータを変更するようにしてもよい。
【００２１】
そして制御部１９０は、カメラ部１７０によって得られた画像データを記憶部１６０に記録する記録制御機能、記憶部１６０に記憶される画像データ（動画像データおよび静止画像データ）に基づく映像を表示部１３０に表示する画像表示機能、通信部１１０を制御してインターネットに接続し、ホームページなどのｗｅｂデータを受信して、これに基づく映像を表示部１３０に表示するインターネット通信制御機能、記憶部１６０に記憶される電子メールデータを通信部１１０を制御して送信したり、あるいは通信部１１０を制御して電子メールを受信し記憶部１６０に記録したり、電子メールの内容を表示部１３０に表示する電子メール制御機能などを備える。
【００２２】
そしてまた制御部１９０は、新たな制御機能として、上述の制御機能によって、テレビジョン放送をはじめとするなんらかの映像を表示部１３０に表示している際に、その表示に合わせて、電子メールの内容をはじめとする種々の文字情報をテロップで表示させる文字情報表示制御機能を備える。
【００２３】
次に、上記構成の無線通信端末装置の動作について説明する。なお、以下の説明では、通常の音声通信や電子メールの送受信などの周知の制御についての説明は省略し、当該発明に関わる文字情報表示制御機能の説明を中心に行う。図３は、上記文字情報表示制御機能に関する制御部１９０の制御フローを示すフローチャートであって、この図に示す処理は、当該携帯電話機の電源が投入されると、電源が切られるまで繰り返し実行される。
【００２４】
まずステップ３ａにおいて制御部１９０は、ユーザが操作部１４０を操作して、テレビジョンの視聴要求を行ったか否かを判定する。ここでユーザが視聴要求を行った場合には、ステップ３ｂに移行し、一方、視聴要求を行わない場合には、そのままステップ３ａにて視聴要求の発生を監視する。
【００２５】
ステップ３ｂにおいて制御部１９０は、ＴＶチューナ部１８０を制御して、テレビジョン放送を受信させる。これにより、ＴＶチューナ部１８０は、テレビジョン放送の受信を開始する。この受信によって得られた映像信号と音声信号は、制御部１９０に出力される。これに対して制御部１９０は、上記テレビジョン放送に基づく映像と音声を出力する処理を開始し、ステップ３ｃに移行する。
【００２６】
すなわち、制御部１９０は、記憶部１６０に設定される表示方向パラメータを参照し、上記表示方向パラメータが縦方向表示を示す設定の場合には、図２Ａに示すように、表示部１３０の表示領域ＤＡのうち、映像表示エリアＰＡｘに、上記映像信号に基づく映像を表示する。一方、上記表示方向パラメータが横方向表示を示す設定の場合には、制御部１９０は、図２Ｂに示すように、表示部１３０の表示領域ＤＡのうち、映像表示エリアＰＡｙに、上記映像信号に基づく映像を表示する。また、表示方向パラメータの設定に関わらず、上記音声信号に基づいて、放送される音声を音声処理部１２０を通じてスピーカ１２１より出力する。
【００２７】
ステップ３ｃにおいて制御部１９０は、電子メールの受信を監視する。すなわち、制御部１９０は、通信部１１０が電子メールデータを受信したか否かを判定する。ここで電子メールデータを通信部１１０が受信した場合には、受信した電子メールデータを記憶部１６０に記録するとともに、上記電子メールデータの送信元のアドレスと記憶部１６０に記憶されるアドレス帳データを比較し、一致するアドレスに対応付けられた名称を送信者名として検出し、ステップ３ｄに移行する。一方、電子メールを受信しない場合には、そのままステップ３ｃにて電子メールの受信を監視する。
【００２８】
ステップ３ｄにおいて制御部１９０は、記憶部１６０に設定される表示方向パラメータが縦方向表示を示す設定か、横方向表示を示す設定かを判定する。ここで、上記表示方向パラメータが縦方向表示を示す設定の場合には、ステップ３ｅに移行し、一方、上記表示方向パラメータが横方向表示を示す設定の場合には、ステップ３ｇに移行する。
【００２９】
ステップ３ｅにおいて制御部１９０は、移動ドット数Ｄに値Ｄｘを設定し、ステップ３ｆに移行する。ステップ３ｆにおいて制御部１９０は、移動周期Ｃに値Ｃｘを設定し、ステップ３ｉに移行する。  
一方、ステップ３ｇにおいて制御部１９０は、移動ドット数Ｄに値Ｄｙ（＞Ｄｘ）を設定し、ステップ３ｈに移行する。ステップ３ｈにおいて制御部１９０は、移動周期Ｃに値Ｃｙ（＜Ｃｘ）を設定し、ステップ３ｉに移行する。
【００３０】
ステップ３ｉにおいて制御部１９０は、ステップ３ｃで受信した電子メールデータに基づいて、ステップ３ｃで検出した送信者名に合わせて、受信した電子メールデータの内容をテレビジョン放送の映像表示に合わせてテロップ表示する表示制御を行う。すなわち、図４に示すようなテロップ表示制御を実施するためのサブルーチンプログラムを実行する。
【００３１】
まずステップ４ａにおいて制御部１９０は、繰り返し回数パラメータｎに「１」を設定し、ステップ４ｂに移行する。  
ステップ４ｂにおいて制御部１９０は、繰り返し回数パラメータｎの設定値が「２」であるか否かを判定する。ここで、繰り返し回数パラメータｎの設定値が「２」の場合には、ステップ４ｄに移行し、一方、繰り返し回数パラメータｎの設定値が「２」ではない場合には、ステップ４ｃに移行する。
【００３２】
ステップ４ｃにおいて制御部１９０は、ステップ３ｃで受信した電子メールデータを記憶部１６０から読み出し、電子メールデータの内容の文字列およびステップ３ｃで検出した送信者名を、表示部１３０にテロップ表示させる。またこのテロップ表示では、電子メールデータの内容および送信者名を、移動周期Ｃの周期で、移動ドット数Ｄずつずらして表示することで、右から左に流れるように表示させる。
【００３３】
すなわち、表示方向パラメータが縦方向表示を示す設定の場合には、制御部１９０は、図２Ａに示すように、テレビジョン放送を映像表示エリアＰＡｘに表示するとともに、その長辺に隣接する文字情報表示領域ＭＡｘに、電子メールデータの内容および送信者名を、移動周期Ｃｘの周期で、移動ドット数Ｄｘずつずらして表示させる。この様子を図５の上段（時間軸ｔよりも上）に示す。
【００３４】
一方、表示方向パラメータが横方向表示を示す設定の場合には、制御部１９０は、図２Ｂに示すように、テレビジョン放送を映像表示エリアＰＡｙに表示するとともに、その長辺に隣接する文字情報表示領域ＭＡｙに、電子メールデータの内容および送信者名を、移動周期Ｃｙの周期で、移動ドット数Ｄｙずつずらして表示させる。この様子を図５の下段（時間軸ｔよりも下）に示す。
【００３５】
したがって、縦方向表示の場合よりも、横方向表示の場合の方が、電子メールデータの内容および送信者名を相対的に早く移動させる表示を行う。このようなテロップ表示により、電子メールデータの内容および送信者名を一通り表示すると、ステップ４ｅに移行する。なお、文字情報表示領域ＭＡｘとＭＡｙとは、高さは同じであるが、幅は文字情報表示領域ＭＡｙの方が広いため、多くの文字列が表示可能である。
【００３６】
一方、ステップ４ｄにおいて制御部１９０は、ステップ３ｃで受信した電子メールデータを記憶部１６０から読み出し、電子メールデータの内容の文字列およびステップ３ｃで検出した送信者名を、表示部１３０にテロップ表示させる。またこのテロップ表示では、電子メールデータの内容および送信者名を、移動周期Ｃ＋Ｃｍの周期で、移動ドット数Ｄ−Ｄｍずつずらして表示することで、右から左に流れるように表示させる。なお、値Ｃｍ，Ｄｍは予め設定された値である。
【００３７】
すなわち、表示方向パラメータが縦方向表示を示す設定の場合には、制御部１９０は、図２Ａに示すように、テレビジョン放送を映像表示エリアＰＡｘに表示するとともに、その長辺に隣接する文字情報表示領域ＭＡｘに、電子メールデータの内容および送信者名を、移動周期Ｃｘ＋Ｃｍの周期で、移動ドット数Ｄｘ−Ｄｍずつずらして表示させる。この様子を図５の上段（時間軸ｔよりも上）に示す。
【００３８】
一方、表示方向パラメータが横方向表示を示す設定の場合には、制御部１９０は、図２Ｂに示すように、テレビジョン放送を映像表示エリアＰＡｙに表示するとともに、その長辺に隣接する文字情報表示領域ＭＡｙに、電子メールデータの内容および送信者名を、移動周期Ｃｙ＋Ｃｍの周期で、移動ドット数Ｄｙ−Ｄｍずつずらして表示させる。この様子を図５の下段（時間軸ｔよりも下）に示す。
【００３９】
したがって、縦方向表示の場合よりも、横方向表示の場合の方が、電子メールデータの内容および送信者名を相対的に早く移動させる表示を行う。また、ステップ４ｃの表示と比べて、ゆっくりと電子メールデータの内容および送信者名が流れることになる。このようなテロップ表示により、電子メールデータの内容および送信者名を一通り表示すると、ステップ４ｅに移行する。
【００４０】
ステップ４ｅにおいて制御部１９０は、繰り返し回数パラメータｎの設定値が「３」であるか否かを判定する。ここで、繰り返し回数パラメータｎの設定値が「３」の場合には、テロップ表示を３回行ったものと判定し、当該処理を終了する。一方、繰り返し回数パラメータｎの設定値が「３」ではない場合には、ステップ４ｆに移行する。  
ステップ４ｆにおいて制御部１９０は、繰り返し回数パラメータｎの設定値に「１」を加算して、ステップ４ｂに移行する。
【００４１】
以上のように、上記構成の無線通信端末装置は、放送の映像に合わせて、受信した電子メールなどの文字情報をテロップ表示するものであって、その表示方向が図２Ａに示すような縦方向の場合には、図２Ｂに示すような横方向の場合に比べて、表示領域ＭＡｘの幅が表示領域ＭＡｙの幅よりも狭い。すなわち、縦方向の場合には、横方向の場合に比べて、表示可能な文字数が少ない。このため、表示方向が縦方向の場合には、横方向の場合に比べて、相対的に表示される文字の移動速度を遅くするようにしている。
【００４２】
したがって、上記構成の無線通信端末装置によれば、放送の映像に合わせて表示される文字情報の移動速度が、その表示領域に表示可能な文字数に合わせて可変するので、その内容をユーザは把握しやすい。
【００４３】
またテロップ表示を繰り返す場合に、２回目の表示の場合には、ステップ４ｄの処理により、１回目や３回目よりも相対的にゆっくりとテロップ表示を行うようにしているので、１回目のテロップ表示でおおよその内容を把握し、２回目のテロップ表示で内容を確認することができる。
【００４４】
なお、上記実施形態では、表示方向パラメータの設定に基づいて横方向表示か縦方向表示かを判定することで、文字情報の表示領域の広狭を判断するようにしたが、これに限定されるものではない。例えば折りたたみ式の携帯電話機のように、筐体の形状が変化するものがある（例えば、特開平１１−３０３８５２、図３および図５参照）。このような携帯電話機に本発明を適用する場合には、その形状に応じて表示方向を切り替え、それに伴って変化する文字情報の表示領域の広狭を検出するようにしてもよい。また表示方向が変化せずに、文字情報の表示領域の広狭が変化する場合に、その広狭を検出しそれに応じてテロップ表示される文字情報の移動速度を可変するようにしてもよい。
【００４５】
また上記実施形態では、移動ドット数と移動周期を可変することで、テロップ表示される文字情報の移動速度を可変するようにしたが、いずれか一方を可変することで上記移動速度を可変するようにしてもよい。
【００４６】
さらに上記実施の形態では、テロップ表示を自動的に３回繰り返すようにしたが、操作部１４０の特定キーをユーザが操作した場合に、テロップ表示を再度行うようにしてもよい。この場合も同様に、例えば２回目などの再テロップ表示時には、１回目のテロップ表示時よりも、ゆっくり表示を行うようにする。これにより、ユーザは、テロップ表示される文字情報の内容を確実に把握することができる。
【００４７】
そしてまた、テロップ表示では、電子メールデータの内容に合わせて送信者名を表示するようにしたが、上記送信者名に対応するアドレス帳データにシークレット設定が為される場合には、送信者名を表示せず、アドレスを表示するようにしてもよい。このようなテロップ表示制御を行う場合について、図６を参照して説明する。図６は、制御部１９０のテロップ表示制御を説明するフローチャートである。この図に示す処理は、当該携帯電話機の電源が投入されると、電源が切られるまで繰り返し実行される。
【００４８】
まずステップ６ａにおいて制御部１９０は、ユーザが操作部１４０を操作して、テレビジョンの視聴要求を行ったか否かを判定する。ここでユーザが視聴要求を行った場合には、ステップ６ｂに移行し、一方、視聴要求を行わない場合には、そのままステップ６ａにて視聴要求の発生を監視する。
【００４９】
ステップ６ｂにおいて制御部１９０は、ＴＶチューナ部１８０を制御して、テレビジョン放送を受信させる。これにより、ＴＶチューナ部１８０は、テレビジョン放送の受信を開始する。この受信によって得られた映像信号と音声信号は、制御部１９０に出力される。これに対して制御部１９０は、上記テレビジョン放送に基づく映像と音声を出力する処理を開始し、ステップ６ｃに移行する。すなわち、制御部１９０は、表示部１３０に、上記映像信号に基づく映像を表示する。また制御部１９０は、上記音声信号に基づいて、放送される音声を音声処理部１２０を通じてスピーカ１２１より出力する。
【００５０】
ステップ６ｃにおいて制御部１９０は、電子メールの受信を監視する。すなわち、制御部１９０は、通信部１１０が電子メールデータを受信したか否かを判定する。ここで電子メールデータを通信部１１０が受信した場合には、受信した電子メールデータを記憶部１６０に記録し、ステップ６ｄに移行する。一方、電子メールを受信しない場合には、そのままステップ６ｃにて電子メールの受信を監視する。
【００５１】
ステップ６ｄにおいて制御部１９０は、上記電子メールデータの送信元のアドレスと記憶部１６０に記憶されるアドレス帳データを比較し、一致するアドレスがアドレス帳データに存在するか否かを判定する。ここで、一致するアドレスがアドレス帳データに存在する場合には、ステップ６ｅに移行し、一方、一致するアドレスがアドレス帳データに存在しない場合には、受信した電子メールデータの内容を表示することなく当該処理を終了する。
【００５２】
ステップ６ｅにおいて制御部１９０は、アドレス帳データにおいて、送信元のアドレスにシークレット設定が為されているか否かを判定する。ここで、シークレット設定が為されている場合には、ステップ６ｆに移行し、シークレット設定が為されていない場合には、ステップ６ｇに移行する。
【００５３】
ステップ６ｆにおいて制御部１９０は、シークレットモードがＯＮかＯＦＦかを判定する。ここで、シークレットモードがＯＮになっている場合には、ステップ６ｈに移行し、一方、シークレットモードがＯＦＦになっている場合には、ステップ６ｇに移行する。
【００５４】
なお、シークレットモードのＯＮ／ＯＦＦは、当該処理に先立って、操作部１４０を通じてユーザが任意に設定するものであり、その設定情報は記憶部１６０に記録される。シークレットモードがＯＮになっている場合には、シークレット設定が為されたアドレス帳データは、表示部１３０に表示することができない。
【００５５】
ステップ６ｇにおいて制御部１９０は、ステップ６ｃで受信した電子メールの送信元のアドレスと記憶部１６０に記憶されるアドレス帳データを比較し、一致するアドレスに対応付けられた名称を送信者名として検出し、この送信者名と、受信した電子メールデータの内容をテレビジョン放送の映像表示に合わせてテロップ表示する表示制御を行い、当該処理を終了する。
【００５６】
一方、ステップ６ｈにおいて制御部１９０は、ステップ６ｃで受信した電子メールの送信元のアドレスと、受信した電子メールデータの内容をテレビジョン放送の映像表示に合わせてテロップ表示する表示制御を行い、当該処理を終了する。なお、ステップ６ｈでのテロップ表示制御は、ステップ６ｇでのテロップ表示制御に比べて、表示される文字情報の移動速度が速く設定される。
【００５７】
以上のようなテロップ表示制御によれば、シークレットモードがＯＮの状態で、シークレット設定が為された送信元からの電子メールを受信した場合には、アドレス帳データで上記送信元に対応付けられた名称は表示しないようにしている。このため、例えば当該携帯電話機を机上に放置して第三者に表示部１３０が見られるようなことがあっても、電子メールの送信元を認識されることがない。
【００５８】
また、シークレットモードがＯＮの状態で、シークレット設定が為された送信元からの電子メールを受信した場合には、テロップ表示により表示される文字情報の移動速度が、シークレット設定が為されない場合に比べて、早い速度に設定される。このため、知られたくない相手からの電子メールは、通常より早い速度でテロップ表示されるため、第三者にのぞき見られることを防止しやすい。
【００５９】
なお、図６に示したテロップ表示制御では、テロップ表示を繰り返すことについては述べなかったが、図４に示したような制御によって、繰り返し表示を行うようにし、その繰り返し回数に応じて、テロップ表示の速度を可変するようにしてもよい。また操作部１４０の特定キーをユーザが操作した場合に、テロップ表示を再度行うようにしてもよい。この場合も同様に、例えば２回目などの再テロップ表示時には、１回目のテロップ表示時よりも、ゆっくり表示を行うようにする。これにより、ユーザは、テロップ表示される文字情報の内容を確実に把握することができる。
【００６０】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００６１】
例えば、上記実施の形態では、ＴＶ放送の映像を表示中に、電子メールを受信した場合を例に挙げて説明したが、これに限定されるものではない。記憶部１６０に記憶される動画像データや静止画像データに基づく映像を表示中であってもいいし、通信部１１０が受信したストリーミング動画の表示中や、ホームページの閲覧中であってもよい。またこれに合わせて表示される文字情報は、電子メールに限らず、地上デジタル放送により放送される文字情報や、災害時などに通信事業者が加入者に向けて配信する文字情報であってもよい。  
その他、この発明の要旨を逸脱しない範囲で種々の変形を施しても同様に実施可能であることはいうまでもない。
【図面の簡単な説明】
【００６２】
【図１】この発明に係わる無線通信端末装置の一実施形態の構成を示す回路ブロック図。
【図２Ａ】図１に示した無線通信端末装置の表示部に表示される映像の一例を示す図。
【図２Ｂ】図１に示した無線通信端末装置の表示部に表示される映像の一例を示す図。
【図３】図１に示した無線通信端末装置のテロップ表示制御に関わる処理を説明するためのフローチャート。
【図４】図１に示した無線通信端末装置のテロップ表示制御に関わる処理を説明するためのフローチャート。
【図５】図４に示した無線通信端末装置のテロップ表示制御により、表示部に表示される映像の遷移を説明するための図。
【図６】図１に示した無線通信端末装置のテロップ表示制御に関わる処理を説明するためのフローチャート。
【符号の説明】
【００６３】
１０１…アンテナ、１１０…通信部、１２０…音声処理部、１２１…スピーカ、１２２…マイクロホン、１３０…表示部、１４０…操作部、１５０…報知部、１６０…記憶部、１７０…カメラ部、１８０…ＴＶチューナ部、１９０…制御部、ＢＳ…基地局。
【図１】
2007288355.tif 000003
【図２Ａ】
2007288355.tif 000004
【図２Ｂ】
2007288355.tif 000005
【図３】
2007288355.tif 000006
【図４】
2007288355.tif 000007
【図５】
2007288355.tif 000008
【図６】
2007288355.tif 000009